(57)【要約】      （修正有）【課題】塵受け部を床面に自立状態に保持できるとともに、箒が交換前のものと異なる場合でも、その箒の柄を握り柄に装着でき、さらに床面の凹所に入った塵を掃き出し可能にする塵取り具を提供する。【解決手段】塵を掃き込むための掃き込み口２を先端部に有する塵受け部３と、塵受け部に連設された握り柄４とからなり、塵受け部の掃き込み口は塵受け部を床面上で自立状態にて縦置き可能にするために水平縁状に形成されている。握り柄には、外径が異なる２種類の箒の柄を選択的に着脱自在に装着可能にする２つの径差付柄嵌合部が設けられ、塵受け部の下部には、下端縁が床面に接触自在となる軟質の掃き取りヘラ８が設けられている。【選択図】図１
0003193572.tif 000002
【実用新案登録請求の範囲】
【請求項１】
底板部とこの底板部の両側に起立する側板部とからなり、これらの先端部に塵等を掃き込むための掃き込み口を形成した塵受け部と、この塵受け部の上部に連設された握り柄とからなる塵取り具であって、
前記塵受け部の前記側板部下端縁はその塵受け部を床面で自立状態にて縦置き可能にするために水平に形成し、
前記握り柄には、外径が異なる２種類の箒の柄を選択的に着脱自在に装着可能にする径差付柄嵌合部が形成されており、
前記塵受け部の掻き込み口には、下端縁が床面に接触自在となる軟質の掃き取りヘラが設けられてなることを特徴とする塵取り具。
【考案の詳細な説明】
【技術分野】
【０００１】
本考案は、握り柄を有する塵受け部を自立状態にて床面に設置できる塵取り具に関する。
【背景技術】
【０００２】
塵取り具は、床面や地面（以下、床面と略称する）の清掃時には、その床面に散乱する塵を、箒を用いて皿状の塵受け部に掃き込むようにして用いられる。かかる塵取り具は、塵取り具本体である皿状の塵受け部材が全体として平らな形態であるため、それ自体は平らな床面に縦置きする（自立させる）ことはできず、保管時には部屋の隅などに無造作に放置されることがある。かかる塵取り具の無造作な放置状態を回避するために、清掃時以外には塵取り具が箒などとともに各々のフック部材等に吊り下げられて保管される。また、清掃時にはこれらの塵取り具および箒は各フックから取り外して用いられる。
【０００３】
一方、箒の柄を塵受け部上部の握り柄に着脱自在に結合し、箒を塵受け部と一体的に運搬および保管可能にした箒付き塵取り具が提供されている（例えば、特許文献１参照）。この箒付き塵取り具は、清掃時に塵取り具本体としての前記塵受け部から箒を分離してそれぞれ清掃に使用し、清掃が終わると箒を塵受け部に戻すように装着して、両者を一体のまま保管可能にしている。このため、箒および塵取り具の保管（収納）のための占有面積を小さくでき、その保管および取り扱いが容易になるというメリットが得られる。また、かかる塵取り具の掃き込み口は先端縁が直線状をなし、塵の掃き込みをスムースにするためにその先端縁が平らな床面に対し均等に接するようになっている。
【０００４】
また、箒の柄を塵取り具の握り柄に着脱可能にしたものは、もともと塵取り具の握り柄に箒の柄を装着したものを一組として商品化され、販売されるものが一般的である。このため、握り柄に対し装着可能な箒の柄のサイズ（径）は、塵取り具の握り柄に対する箒の柄の装着や装着解除がスムースに行えるように当初から適切に決められている。
【先行技術文献】
【特許文献】
【０００５】
【特許文献１】特開平１０-０７５９２５号公報
【考案の概要】
【考案が解決しようとする課題】
【０００６】
しかしながら、かかる従来の箒の柄を塵取り具の握り柄に着脱可能にした塵取り具にあっては、箒の使用頻度が高く損耗や破損が著しい場合に、新しい箒と交換したい場合があり、この場合に箒の柄の径（外径）が握り柄における装着部位のサイズに対し、大き過ぎたり或は小さ過ぎたりすると、交換しょうとする新しい箒の柄をその装着部位に装着できないという不都合がある。
【０００７】
また、塵取り具の本体をなす塵受け部は全体として皿形（平形）であるため、これを床の上に立てた状態で自立させることができず、従って塵取り具の床面における占有面積が大きくなり、その塵取り具の保管時における床面の利用効率が悪くなる。さらに、塵受け部先端の掃き込み口は平らな床面に対し均等に接するように直線縁をなすため、その床面に凹凸部があると、その凹部では床面と直線縁との間に間隙が生じ、その凹部内の塵を塵受け部に掃き込むことができないという不都合があった。
【０００８】
本考案はかかる従来の問題点に着目してなされたものであり、その目的とするところは、掃除中に塵取り作業を一時停止した場合等に塵受け部を床面に自立状態に保持できるとともに、箒の柄の径（サイズ）が前回使用のものと異なる場合でも、その径が異なる柄を持つ箒の握り柄の装着部位に対する保持（装着）を安定的に実施でき、さらに床面の凹所内の塵を確実に掃き出すことができる塵取り具を提供することにある。
【課題を解決するための手段】
【０００９】
前記目的達成のために、本考案にかかる塵取り具は、底板部とこの底板部の両側に起立する側板部とからなり、これらの先端部に塵等を掃き込むための掃き込み口を形成した塵受け部と、この塵受け部の上部に連設された握り柄とからなる塵取り具であって、前記塵受け部の前記側板部下端縁はその塵受け部を床面で自立状態にて縦置き可能にするために水平に形成し、前記握り柄には、外径が異なる２種類の箒の柄を選択的に着脱自在に装着可能にする径差付柄嵌合部が形成されており、前記塵受け部の掻き込み口には、下端縁が床面に接触自在となる軟質の掃き取りヘラが設けられてなることを特徴とする。
【００１０】
この構成により、塵取り具を保管中や清掃の中断時に、塵受け部の下端縁が床面に接するように縦置きすることができる。また、塵受け部単独でまたは握り柄に着脱自在に装着した箒とともに、床面上の狭小空間内に自立状態で設置でき、その接地面積を小さめに抑えることができる。また、市販の箒の柄は前記塵受け部の握り柄に設けられた大小２つの径差付柄嵌合部のいずれかに着脱自在に装着可能となるため、箒の交換が容易になり、箒と塵取りの一体化によってこれらの運搬、取り扱いを簡単化でき、さらに清掃作業開始時の作業や清掃作業後のあと片づけを迅速に実施できる。
【００１１】
また、塵受け部下部の掃き取りヘラは柔軟性があるため、この掃き取りヘラの自重によりまたは握り柄の床面への押し付け操作により、床面にできた凹部内にその掃き取りヘラ先端の一部を入り込ませることができる。これによりその凹部と掃き取りヘラの先端部との間に隙間ができにくくなり、その凹部内の塵を箒で凹部の外に掃き出して、塵受け部に掃き取ることができる。
【考案の効果】
【００１２】
本考案によれば、塵取り作業を一時停止した場合等に塵受け部を床面に自立状態に保持できるとともに、箒の柄の径（サイズ）が交換前のものと異なる場合でも、その径の異なる柄を塵取り具における握り柄の２つの径差付柄嵌合部のいずれかに装着でき、さらに床面の凹所に入った塵を柔軟性がある掃き取りヘラにより略確実に掃き出して、塵受け部に掃き取り可能とすることができる。
【００１３】
以上、本考案について簡潔に説明した。更に、以下に本考案を実施するための最良の形態を添付の図面を参照して、詳細に説明する。
【図面の簡単な説明】
【００１４】
【図１】本考案の実施形態による塵取り具を示す正面図である。
【図２】図１に示す塵取り具のＸ-Ｘ断面図である。
【図３】図１に示す塵取り具の下面図である。
【図４】図２に示す塵取り具要部の拡大断面図ある。
【図５】図１に示す塵取り具のＹ-Ｙ断面図である。
【図６】図１における握り柄上端の平面図である。
【図７】図１におけるＺ-Ｚ断面図である。
【図８】図１に示す塵取り具に箒の柄を装着した状態の斜視図である。
【考案を実施するための形態】
【００１５】
以下、本考案の実施の形態にかかる塵取り具を、図面を参照して説明する。
【００１６】
図１、図２および図３は本実施の形態にかかる塵取り具を示す正面図、縦断面図および下面図である。この塵取り具１は全体が所定厚み（皿状）の合成樹脂の成形品からなり、弾性を有する。この塵取り具１は床面の塵を掃き込むための掃き込み口２を先端部に有する塵受け部３と、この塵受け部３の上部に連設された握り柄４とを一体に備える。塵受け部３は、底板部３ａおよびこの底板部３ａの両側に立ち上がる側板部３ｂ，３ｃからなる断面形状が大きめのコ字状部Ａをなし、握り柄４は底片４ａおよびこの底片４ａの両側に立ち上がる側片４ｂ，４ｃからなる断面形状が小さめのコ字状部Ｂをなす。
【００１７】
また、塵受け部３の底板部３ａは塵の掃き込みを容易にする平らな傾斜片部Ｐと、この傾斜片部Ｐを通して掃き込まれた塵を収容する収容凹部Ｑとを有する。傾斜片部Ｐには、塵の掃き込みを収納凹部Ｑにスムースに案内する、図４に示すような縦細の突条５が水平方向に複数本並設されている。前記掃き込み口２は底板部３ａおよび側板部３ｂ，３ｃ下端の解放部分であり、この掃き込み口２から床面上の塵が傾斜片部Ｐを介して収納凹部Ｑへ箒によって掃き込み可能になっている。
【００１８】
底板部３ａおよび側板部３ｂ，３ｃの下端縁は同一水平面内にあり、従って、塵受け部３は平らな床面上で倒れることなく、自立状態にて安定に縦置き可能になっている。また、掃き込み口２付近の底板部３ａの下端部は所定幅に亘って厚肉となっており、この下端部には所定幅および長さの切欠６が形成されている。そして、塵受け部３上であって切欠６の上方位置には、図４に示すような係止溝７が水平方向に形成されている。
【００１９】
前記切欠６にはこの切欠６を略塞ぐ長サイズの掃き取りヘラ８が配置されている。この掃き取りヘラ８は軟質のゴムや合成樹脂の弾性材料からなり、下端に向ってナイフエッジ状に厚みが薄くなるリップ片８ａと、このリップ片８ａの上端に連続する一対の挟持片８ｂ，８ｃとからなる。これらの挟持片８ｂ，８ｃのうち挟持片８ｃには挟持片８ｂ方向に向って突出する係止突起８ｄが連設されている。
【００２０】
これらの挟持片８ｂ，８ｃは前記切欠６に臨む部位の塵受け部３の下端部（下縁部）を両面（表裏）側から弾性的に挟持（挟圧）することで、その下端部に保持される。また、挟持片８ｃの係止突起８ｄが係止溝７に嵌合されることで、掃き取りヘラ８が塵受け部３の下端部から外れることを確実に防止できる。また、必要に応じて人の手で係止溝７に対する係止突起８ｄの係止状態を簡単に解除することができる。これにより掃き取りヘラ８の交換が任意かつ容易に実施できる。
【００２１】
一方、細めのコ字状部Ｂを持つ握り柄４は、図６および図７に示すように、正面の開口部側から底片４ａ方向に僅かに狭小に変化する前後２つの径差付柄嵌合部Ｃ，Ｄを有する。これらの径差付柄嵌合部Ｃ，Ｄにおいて、底片４ａの両側に連続する側片４ｂ，４ｃの対向面には、山形の２対の係止突起９ａ，９ｂおよび係止突起１０ａ，１０ｂがそれぞれ突設されている。これらのうち一対の係止突起９ａ，９ｂは握り柄４の開口部側に位置して、これらの間隔はＲとされ、他の一対の突起１０ａ，１０ｂは握り柄４の底片４ａ方向に位置して、これらの間隔は前記間隔Ｒより小さい間隔Ｓとされている。なお、これらの間隔Ｒ、Ｓは市販されている２種類の箒の柄１２ａ，１３ｂを保持可能とする寸法（外径）、形態となっている。図８は、径差付柄嵌合部Ｃ，Ｄにおける２つの係止突起１０ａ，１０ｂおよび底片４ａ間に箒１１の柄１２ｂを保持させた例を示す。
【００２２】
すなわち、細めの柄を持つ箒１１の柄１２ａは握り柄４正面の開口側から側片４ｂ，４ｃ間に圧入することで、図６および図８に示すように、２個の係止突起１０ａ，１０ｂおよび底片４ａ間に支持可能となる。一方、太めの柄１２ｂは握り柄４の正面開口側から側片４ｂ，４ｃ間に圧入することで、４個の係止突起９ａ，９ｂ，１０ａ，１０ｂ間に支持可能となる。なお、この挿入や支持は塵受け部３が合成樹脂の成形品からなることの性質（弾性）によって可能となるものである。
【００２３】
かかる構成になる塵取り具１は次のようにして用いられる。先ず、この塵取り具１が納戸や部屋の隅に置かれる場合には、塵受け部３を立てた状態で床面に置く。この塵受け部３の底板部３ａおよび側板部３ｂ，３ｃの下端は、掃き取りヘラ８の設置部分を除いて前述のような水平縁部Ｈとなっている。このため、この水平縁部Ｈは平らな床面Ｇに対し均等に接触し、塵取り具１は縦置き状態を安定的かつ自立的に維持する。
【００２４】
なお、握り柄４は塵受け部３と同等の垂直面内にあり、従って握り柄４の径差付柄嵌合部Ｃ、Ｄに箒の柄を装着した状態においても、塵受け部３には過剰な偏荷重が作用することがない。従って、塵受け部３は自立状態を維持することとなる。このように塵取り具１は床面に縦置きされるように設置、保管可能であるため、床面を占める面積を小さめに抑えることができ、床面の有効利用および塵取り具１および箒の保管、整理整頓などの取り扱いが容易になる。
【００２５】
一方、床面の清掃を行う場合には、前述のように縦置きされた塵取り具１を、清掃する部屋などの所定部所に持ち運び、握り手４の径差付柄嵌合部Ｃ、Ｄにおける４個の係止突起９ａ，９ｂ，１０ａ，１０ｂ、または握り手４の径差付柄嵌合部Ｄにおける２個の係止突起１０ａ，１０ｂと底片４ａ内面に保持された箒の柄を、その保持を解除するように前方へ引抜くように取り外す。そして、掃き取りヘラ８の先端部であるリップ片８ａの下端縁が床面に接触するように握り手４を操作して塵取り具１を傾ける。
【００２６】
そして塵取り具１から分離した箒を操りながら、床面上の塵を一箇所に掃き寄せ、さらに掃き取りヘラ８のリップ片８ａから係止片８ｃ上および塵受け部３の傾斜片部Ｐを介して収納凹部Ｑへ掃き込む。この塵の掃き込みは傾斜面部Ｐの一部に塵が集中しないように、複数本の突条５に沿うようになされる。従って、塵は傾斜面部Ｐ上で一箇所に固まらずに、分散状態で収納凹部Ｑに向ってスムースにガイドされて掃き取られる。
【００２７】
このようにして、収納凹部Ｑへ掃き込んだ塵は、ごみ箱などの中へ廃棄され、清掃作業を終了する。この清掃作業の終了後は、使用した箒の柄を前記径差付柄嵌合部Ｃ，Ｄのいずれかに、前述のように嵌合させ、箒を装着した状態の塵取り具１は納戸や部屋の隅に縦置きされて保管される。なお、ここで握り柄４に装着される箒は販売当初から組み付けられたもののほか  、単独で半浴びされている市販の箒のうち、前記径差付柄嵌合部Ｃ、Ｄのサイズに近い径の柄を持つ箒である必要がある。
【００２８】
また、前記掃き取りヘラ８は軟質のゴムや合成樹脂からなるため、掃除する床面に凹部があっても、その掃き取りヘラ８の自重または握り柄４に対する押圧力の印加によって、リップ片８ａ端でその凹部内をなぞるように移動させることができる。このため、その凹部内における塵をそのリップ片８ａ端で外に掃き出して、前記収納凹部９内に掃き込むことができる。
【００２９】
以上のように、本実施形態の塵取り具１は底板部３ａとこの底板部３ａの両側に起立する側板部３ｂ，３ｃとからなり、これらの先端部に塵等を掃き込むための掃き込み口２を形成した塵受け部３と、この塵受け部３の上部に連設された握り柄４とからなり、塵受け部３の前記側板部３ｂ，３ｃ下端縁はその塵受け部３を床面で自立状態にて縦置き可能にするために水平に形成し、前記握り柄４には、外径が異なる２種類の箒の柄を選択的に着脱自在に装着可能にする径差付柄嵌合部Ｃ，Ｄが形成されており、前記塵受け部３の掻き込み口２には、下端縁が床面に接触自在となる軟質の掃き取りヘラ８が設けられてなる構成である。
【００３０】
これにより掃除中に塵取り作業を一時停止した場合等に塵受け部３を床面に自立状態に保持できるとともに、箒１１の柄１２の径（サイズ）が前回使用のものと異なる場合でも、その径が異なる柄１２を持つ箒１１の、握り柄４の径差付柄嵌合部Ｃ，Ｄ装着部位に対する保持（装着）を安定的に実施でき、さらに床面の凹所内の塵を確実に掃き出すことができる。
【産業上の利用可能性】
【００３１】
本考案の塵取り具は、塵受け部を床面に自立状態に保持できるとともに、箒が交換前のものと異なる場合でも、その箒の柄を塵取り具における握り柄の２つの径差付柄嵌合部のいずれかに装着でき、さらに床面の凹所に入った塵を柔軟性がある掃き取りヘラにより略確実に掃き出すことができるという効果を有し、握り柄を有する塵受け部を自立状態にて床面に設置できる塵取り具等に有用である。
【符号の説明】
【００３２】
１  塵取り具  
２  掃き込み口
３  塵受け部
３ａ  底板部
３ｂ，３ｃ  側板部
４  握り柄
４ａ  底片
４ｂ，４ｃ  側片
５  突条
６  切欠
７  係止溝
８  掃き取りヘラ
８ａ  リップ片
８ｂ，８ｃ  挟持片
８ｄ  係止突起
９ａ，９ｂ，１０ａ，１０ｂ  係止突起
１１  箒
１２  箒の柄
Ｃ，  Ｄ  径差付柄嵌合部
【図１】
0003193572.tif 000003
【図２】
0003193572.tif 000004
【図３】
0003193572.tif 000005
【図４】
0003193572.tif 000006
【図５】
0003193572.tif 000007
【図６】
0003193572.tif 000008
【図７】
0003193572.tif 000009
【図８】
0003193572.tif 000010